(57)【要約】【課題】  手技によるマッサージと同等のマッサージ感とマッサージ効果を得ることが出来るマッサージ機を提供する。【解決手段】  本発明に係るマッサージ機においては、人体の被施療部を挿入するための挿入口８を具えたハウジング33の内部に気流発生室30が形成されると共に、該気流発生室30の内部には複数の球体31が封入され、該気流発生室30内の気流により複数の球体31を散乱させ、これらの球体31を被施療部に衝突させることによって、被施療部にマッサージを施す。【選択図】      図３
2005118307.tif 000002
【特許請求の範囲】
【請求項１】
人体の被施療部との対向位置に配置されるべき気流発生室(30)内に、複数の球体(31)を封入し、該気流発生室(30)内の気流により前記複数の球体(31)を散乱させ、これらの球体(31)を被施療部に直接的若しくは間接的に衝突させることによって、被施療部にマッサージを施すことを特徴とするマッサージ機。
【請求項２】
人体の被施療部を挿入するための挿入口(８)を具えたハウジング(33)の内部に気流発生室(30)が形成されると共に、該気流発生室(30)の内部には複数の球体(31)が封入され、該気流発生室(30)内の気流により前記複数の球体(31)を散乱させ、これらの球体(31)を被施療部に直接に衝突させることによって、被施療部にマッサージを施すことを特徴とするマッサージ機。
【請求項３】
ハウジング(33)の内部に、人体の被施療部を収容するための被施療部収容室と、複数の球体(31)が封入された気流発生室(30)とが、柔軟な隔膜(32)を介在させて並設され、該気流発生室(30)内の気流により前記複数の球体(31)を散乱させ、これらの球体(31)を前記隔膜(32)を介して被施療部に衝突させることによって、マッサージを施すことを特徴とするマッサージ機。
【請求項４】
一方向に開口したハウジング(33)の開口部が柔軟な隔膜(32)により塞がれて、ハウジング(33)内に気流発生室(30)が形成され、該気流発生室(30)内には複数の球体(31)が封入され、該気流発生室(30)内の気流により前記複数の球体(31)を散乱させ、これらの球体(31)を前記隔膜(32)を介して人体の被施療部に衝突させることによって、マッサージを施すことを特徴とするマッサージ機。
【請求項５】
気流発生室(30)に連通する給気口(９)へ圧縮空気を供給することによって気流発生室(30)内に乱気流を発生させる請求項１乃至請求項４の何れかに記載のマッサージ機。
【請求項６】
給気口(９)には、気流発生室(30)内へ流入する気流を乱すための乱気流発生機構が配備されている請求項５に記載のマッサージ機。
【請求項７】
気流発生室(30)の内壁には、給気口(９)の近傍へ球体(31)を集めるための斜面(96)が形成されている請求項５又は請求項６に記載のマッサージ機。
【発明の詳細な説明】
【技術分野】
【０００１】
本発明は、人体の被施療部にマッサージを施すマッサージ機に関するものである。
【背景技術】
【０００２】
従来、マッサージ機としては、腕や脚などの被施療部に振動を与えるもの(特許文献１)、ローラによって揉みを加えるもの(特許文献２)、エアーバックによって挟圧力を加えるもの(特許文献３、４)が知られている。
【特許文献１】特開昭５６−８３３４９号公報
【特許文献２】特開平４−１３８１５８号公報
【特許文献３】特開平７−１２４２１３号公報
【特許文献４】特開平８−８９５４０号公報
【発明の開示】
【発明が解決しようとする課題】
【０００３】
ところで、専門のマッサージ師が行なうマッサージ施療の手技の一つに、被施療部を指先で叩く様にしてマッサージを施す「タッピング」があり、これによって血行促進の効果が得られる。
【０００４】
しかしながら、従来のマッサージ機においては、マッサージ師の手技とはマッサージ感が異なり、マッサージ師によるマッサージの様な満足感が得られない問題があった。
そこで本発明の目的は、マッサージ機においてタッピングマッサージを実現することによって、手技によるマッサージと同等のマッサージ感とマッサージ効果を得ることである。
【課題を解決するための手段】
【０００５】
本発明に係るマッサージ機は、人体の被施療部との対向位置に配置されるべき気流発生室(30)内に、複数の球体(31)を封入し、該気流発生室(30)内の気流により前記複数の球体(31)を散乱させ、これらの球体(31)を被施療部に直接的若しくは間接的に衝突させることによって、被施療部にマッサージを施すものである。
【０００６】
本発明に係るマッサージ機によるマッサージにおいては、複数の球体(31)が人体の被施療部を乱打して、手技によるタッピングと同様な刺激を被施療部に与える。
【０００７】
より具体的な構成において、本発明に係るマッサージ機は、人体の被施療部を挿入するための挿入口(８)を具えたハウジング(33)の内部に気流発生室(30)が形成されると共に、該気流発生室(30)の内部には複数の球体(31)が封入され、該気流発生室(30)内の気流により前記複数の球体(31)を散乱させ、これらの球体(31)を被施療部に直接に衝突させることによって、被施療部にマッサージを施す。
【０００８】
該マッサージ機においては、ハウジング(33)の挿入口(８)から腕や脚などの被施療部を挿入すると、該被施療部はハウジング(33)内の気流発生室(30)に包囲されることとなり、気流発生室(30)内を散乱する球体(31)が被被施療部に直接に衝突する。
【０００９】
又、本発明に係るマッサージ機は、ハウジング(33)の内部に、人体の被施療部を収容するための被施療部収容室と、複数の球体(31)が封入された気流発生室(30)とが、柔軟な隔膜(32)を介在させて並設され、該気流発生室(30)内の気流により前記複数の球体(31)を散乱させ、これらの球体(31)を前記隔膜(32)を介して被施療部に衝突させることによって、マッサージを施す。
【００１０】
該マッサージ機においては、ハウジング(33)内の被施療部収容室に被施療部を収容することによって、被施療部の表面が隔膜(32)によって覆われ、気流発生室(30)内を散乱する球体(31)が隔膜(32)を介して被施療部に衝突力を加える。
【００１１】
又、本発明に係るマッサージ機は、一方向に開口したハウジング(33)の開口部が柔軟な隔膜(32)により塞がれて、ハウジング(33)内に気流発生室(30)が形成され、該気流発生室(30)内には複数の球体(31)が封入され、該気流発生室(30)内の気流により前記複数の球体(31)を散乱させ、これらの球体(31)を前記隔膜(32)を介して人体の被施療部に衝突させることによって、マッサージを施す。
【００１２】
該マッサージ機においては、隔膜(32)の表面に被施療部を置くことによって、気流発生室(30)内を散乱する球体(31)が隔膜(32)を介して被施療部に衝突力を加える。
【発明の効果】
【００１３】
本発明に係るマッサージ機によれば、複数の球体(31)が人体の被施療部を乱打して、手技によるタッピングと同様な刺激を被施療部に与えるので、手技によるマッサージと同等のマッサージ感とマッサージ効果を得ることが出来る。
【発明を実施するための最良の形態】
【００１４】
以下、本発明の実施形態につき、図面に沿って具体的に説明する。
第１実施例
本発明に係るマッサージ機は、図１に示す如く、脚(11)、座(12)、背もたれ(13)、及び左右一対のアームレスト(14)(14)からなる椅子本体(10)に、複数の施療子(21)を具えたマッサージ機構(２)が装備されると共に、両アームレスト(14)(14)にはそれぞれタッピングマッサージ装置(３)が搭載され、該タッピングマッサージ装置(３)には給気用ホース(４)を介してエアコンプレッサー(５)が接続されている。
【００１５】
マッサージ機構(２)によるマッサージにおいては、複数の施療子(21)を振動させながら上下に往復移動させることによって、揉みを主体とするマッサージを施す。
又、タッピングマッサージ装置(３)によるマッサージにおいては、エアコンプレッサー(５)からタッピングマッサージ装置(３)へ圧縮空気を供給して、タッピングによるマッサージを施す。
尚、これらのマッサージ動作は、リモートコントローラ(７)を操作することによってコントロールすることが出来る。
【００１６】
本実施例のタッピングマッサージ装置(３)は、図２及び図３に示す如く、アームレスト(14)上に設置された筒状のハウジング(33)を具え、該ハウジング(33)には、腕Ａを挿入するための２つの挿入口(８)(８)が設けられている。
ハウジング(33)の内部には気流発生室(30)が形成され、該気流発生室(30)の内部には、複数の球体(31)が封入されている。球体(31)の形状については、真球、楕円球等の任意の外形を有するものを採用することが出来、例えば直径が数ｍｍ〜数ｃｍの外形に形成される。又、球体(31)の材質としては、合成樹脂、ゴム、軽金属などを採用することが出来る。
【００１７】
又、ハウジング(33)には、前記エアコンプレッサー(５)からの圧縮空気が供給されるべき給気口(９)が形成されると共に、気流発生室(30)内の空気を排出するための排気口(91)が形成されている。
【００１８】
挿入口(８)には、図４に示す如く放射状の切れ目によって複数に分割されたゴムシート(81)が取り付けられており、該ゴムシート(81)は腕の挿入を許容すると共に、腕が挿入された状態での球体(31)の流出を防止するものである。
尚、ゴムシート(81)によって挿入口(８)を塞ぐ構造に替えて、図５の如く伸縮性を有する布(82)によって挿入口(８)を塞ぐ構造も採用可能であって、該布(82)の中央部には、腕の挿入孔を有するリング状のゴム部材(83)が取り付けられている。
【００１９】
上記マッサージ機においては、エアコンプレッサー(５)から給気用ホース(４)及び給気口(９)を経てハウジング(33)内に圧縮空気を供給することによって、図１６に示す如く、気流発生室(30)内には乱気流が発生して、複数の球体(31)が気流発生室(30)内で散乱し、これらの球体(31)が腕Ａの表面に直接に衝突して、タッピングによるマッサージを施す。気流発生室(30)内の空気は排気口(91)から外部へ排出され、気流発生室(30)内は略一定の圧力に保たれる。
尚、圧縮給気の供給量は球体(31)の重さなどに応じて最適な大きさに設定される。
【００２０】
第２実施例
本実施例のタッピングマッサージ装置(３)は、図６〜図８に示す如く、アームレスト(14)上に設置された筒状のハウジング(33)を具え、該ハウジング(33)には、腕Ａを挿入するための２つの挿入口(８)(８)が設けられている。
又、両挿入口(８)(８)は、円筒状の柔軟な隔膜(32)によって互いに連結されており、該隔膜(32)の内部に腕Ａの挿入室が形成されている。
尚、隔膜(32)は、腕の太さの違いに対応出来る様に、十分な弛みをもった布によって形成され、或いはポリウレタン等の伸縮性の高い布によって形成されている。
【００２１】
ハウジング(33)の内部には、隔膜(32)によって仕切られた気流発生室(30)が形成され、該気流発生室(30)の内部には、複数の球体(31)が封入されている。
又、ハウジング(33)には、前記エアコンプレッサー(５)からの圧縮空気が供給されるべき給気口(９)が形成されると共に、気流発生室(30)内の空気を排出するための排気口(91)が形成されている。
挿入口(８)の構成は、前記第１実施例と同様である。
【００２２】
上記マッサージ機においては、エアコンプレッサー(５)から給気用ホース(４)及び給気口(９)を経てハウジング(33)内に圧縮空気を供給することによって、気流発生室(30)内に乱気流が発生して、複数の球体(31)が気流発生室(30)内で散乱し、これらの球体(31)が隔膜(32)を介して腕Ａの表面に衝突する。
この様にして、腕Ａは気流発生室(30)内の圧力により圧迫された状態で、球体(31)による衝突力を受けて、タッピングによるマッサージを施されることになる。
【００２３】
第３実施例
本実施例のタッピングマッサージ装置(３)は、図９及び図１０に示す如く、アームレスト(14)に埋設された筒状のハウジング(33)を具え、該ハウジング(33)の上面は開口して、該開口は柔軟な隔膜(32)によって塞がれている。
【００２４】
この様にして、ハウジング(33)の内部には気流発生室(30)が形成され、該気流発生室(30)の内部には、複数の球体(31)が封入されている。
又、ハウジング(33)には、前記エアコンプレッサー(５)からの圧縮空気が供給されるべき給気口(９)が形成されると共に、気流発生室(30)内の空気を排出するための排気口(91)が形成されている。
【００２５】
上記マッサージ機においては、図１１の如くタッピングマッサージ装置(３)上の凹部に腕Ａを載せた状態で、図１に示すエアコンプレッサー(５)から給気用ホース(４)及び給気口(９)を経てハウジング(33)内に圧縮空気を供給することによって、図１７に示す如く気流発生室(30)内に乱気流が発生して、複数の球体(31)が気流発生室(30)内で散乱し、これらの球体(31)が隔膜(32)を介して腕Ａの表面に衝突し、腕Ａに対してタッピングによるマッサージが施されることになる。
【００２６】
上述の何れの実施例においても、複数の球体(31)が人体の被施療部を乱打して、手技によるタッピングと同様な刺激を被施療部に与えるので、手技によるマッサージと同等のマッサージ感とマッサージ効果を得ることが出来る。
又、球体(31)が隔膜(32)を介して被施療部に衝突する実施例においては、隔膜(32)が発揮する緩衝効果によって、被施療部に対する過大な衝突力の作用を緩和することが出来る。
【００２７】
本発明のマッサージ機においては、気流発生室(30)内の気流によって球体(31)を十分に散乱させることが必要であり、そのためには、例えば図１２〜図１４に示す乱気流発生機構を給気口(９)に設けることが有効である。
該乱気流発生機構は、図１２に示す如く給気口(９)に複数枚の風向ガイド板(92)(93)を揺動可能に配備し、図１３及び図１４に示す如く、モータ(90)の動力を駆動機構(94)を経て往復部材(95)に伝え、該往復部材(95)の往復動によって風向ガイド板(92)(93)を揺動駆動するものである。
【００２８】
該乱気流発生機構の動作によって、例えば図３に示す給気口(９)から気流発生室(30)内へ流入する空気は、乱気流となって、気流発生室(30)内の球体(31)を十分に散乱させる。
【００２９】
又、図１５に示す如く、ハウジング(33)の底面に、給気口(９)及び排気口(91)を包囲して、給気口(９)へ向かって低く傾斜した斜面(96)を形成すれば、ハウジング(33)の底面に落下してくる球体(31)を給気口(９)の近傍に集め、これらの球体(31)に給気口(９)からの気流を効果的に吹き付けることが出来、これによって球体(31)を十分に散乱させることが出来る。
【図面の簡単な説明】
【００３０】
【図１】本発明に係るマッサージ機の外観を示す斜視図である。
【図２】第１実施例のタッピングマッサージ装置の側面図である。
【図３】該タッピングマッサージ装置の断面図である。
【図４】該タッピングマッサージ装置の挿入口の構成を示す正面図である。
【図５】挿入口の他の構成を示す正面図である。
【図６】第２実施例のタッピングマッサージ装置の側面図である。
【図７】該タッピングマッサージ装置の断面図である。
【図８】該タッピングマッサージ装置の挿入口を示す正面図である。
【図９】第３実施例のタッピングマッサージ装置の側面図である。
【図１０】該タッピングマッサージ装置の断面図である。
【図１１】該タッピングマッサージ装置の正面図である。
【図１２】給気口に配備された乱気流発生機構の正面図である。
【図１３】該乱気流発生機構の断面図である。
【図１４】該乱気流発生機構の駆動機構の構成を示す側面図である。
【図１５】給気口の周囲に形成されたハウジング底面の傾斜を表わす断面図である。
【図１６】第１実施例において球体の散乱状態を説明する図である。
【図１７】第３実施例において球体の散乱状態を説明する図である。
【符号の説明】
【００３１】
(10)  椅子本体
(14)  アームレスト
(２)  マッサージ機構
(３)  タッピングマッサージ装置
(30)  気流発生室
(31)  球体
(32)  隔膜
(33)  ハウジング
(４)  給気用ホース
(５)  エアコンプレッサー
(８)  挿入口
(９)  給気口
(91)  排気口
【図１】
2005118307.tif 000003
【図２】
2005118307.tif 000004
【図３】
2005118307.tif 000005
【図４】
2005118307.tif 000006
【図５】
2005118307.tif 000007
【図６】
2005118307.tif 000008
【図７】
2005118307.tif 000009
【図８】
2005118307.tif 000010
【図９】
2005118307.tif 000011
【図１０】
2005118307.tif 000012
【図１１】
2005118307.tif 000013
【図１２】
2005118307.tif 000014
【図１３】
2005118307.tif 000015
【図１４】
2005118307.tif 000016
【図１５】
2005118307.tif 000017
【図１６】
2005118307.tif 000018
【図１７】
2005118307.tif 000019